(57)【要約】【課題】洗浄性能の向上および洗濯時間の削減したドラム式洗濯機を提供すること。【解決手段】洗濯物を収容する回転ドラム３と、前記回転ドラムを収容する水受け槽２と、前記水受け槽内に給水する給水弁１１と、前記回転ドラム３内へ温風を導入するヒータ２３を有する風路と、回転ドラム３を駆動させるモータ４と前記給水弁１１、前記ヒータ２３を制御し、洗い工程等を制御する制御手段１４とを備え、前記制御手段１４は第１の洗い工程を行い、第１の洗い工程完了後の排水と脱水を行った後に第２の洗い工程を行い、第１の洗い工程及び第２の洗い工程において温風を回転ドラム３内に導入するものである。【選択図】図１
2014236770.tif 000002
【特許請求の範囲】
【請求項１】
洗濯物を収容する回転ドラムと、
前記回転ドラムを収容する水受け槽と、
前記水受け槽内に給水する給水手段と、
前記回転ドラム内へ温風を導入する加熱手段を有する風路と、
回転ドラムを駆動させる駆動手段と、
前記給水手段、前記加熱手段および前記駆動手段を制御する制御手段とを備え、
前記制御手段は、第１の洗い工程を行い、この第１の洗い工程完了後の排水と脱水を行って第２の洗い工程を行い、前記第１の洗い工程及び前記第２の洗い工程において、温風を前記回転ドラム内に導入する洗濯機。
【請求項２】
第１の洗い工程完了後の脱水における回転ドラムの最高回転数は、すすぎ工程での中間脱水または最終脱水の最高回転数よりも低いことを特徴とする請求項１記載の洗濯機。
【請求項３】
第１の洗い工程完了後の脱水における回転ドラムの最高回転数での回転時間は、すすぎ工程での中間脱水または最終脱水の最高回転数の回転時間よりも短いことを特徴とする請求項１記載の洗濯機。
【請求項４】
第１の洗い工程完了後の脱水における回転ドラムの最高回転数は、すすぎ工程での中間脱水または最終脱水の最高回転数よりも低く、かつ前記第１の洗い工程完了後の脱水における回転ドラムの最高回転数での回転時間は、前記すすぎ工程での中間脱水または最終脱水の最高回転数の回転時間よりも短いことを特徴とする請求項１記載の洗濯機。
【発明の詳細な説明】
【技術分野】
【０００１】
本発明は、回転ドラム内に洗濯物を投入し、洗い、すすぎなどの各工程を逐次制御して洗濯する洗濯機に関する。
【背景技術】
【０００２】
従来、ドラム式洗濯機は、洗い時の洗浄力やすすぎの性能、さらには節水性を高めるため、水槽の底部に集められた洗濯水を回転ドラム内に循環させる経路が設けられている。これにより、洗濯水と衣類との接触を増やしたり、循環水の噴射力により汚れを分離したり、少ない水量でも洗濯物を濡らすことができる。
【０００３】
更に、底部に加熱手段が設けられて、洗濯水を加熱して洗浄性能を向上することによっても洗浄力やすすぎ性能の向上が図られている。しかし、使用する水量の少ない洗濯機、特にドラム式洗濯機では、洗濯水の循環を行うと、底部の洗濯水の液面が低下し、加熱手段の表面が洗濯水面より出てしまう可能性がある。この状態で加熱手段を通電し続けると加熱手段表面が過加熱状態となり、構成する樹脂材料を溶解し、更には、加熱手段自体が断線してしまうことが起こる可能性があった。また、加熱手段で洗濯水を所定温度まで加熱するのに長時間を要し、また消費電力量も大きく不経済である問題があった。
【０００４】
これに対し、温風を供給する温風供給装置を具備した洗濯機においては、水槽に配設した回転ドラムに洗濯物を収容し、水槽に給水して前記洗濯物を撹拌して洗い行った後、前記水槽の内部からの排水をして、前記回転ドラムをドラム式洗濯機の外箱が共振する回転速度以下の速度で回転させることにより前記洗濯物から脱水する脱水動作を実行し、その後に、前記洗濯物を撹拌しつつ、前記水槽の内部に温風を供給して前記洗濯物を加温することにより洗濯物加温動作を実行することが考案されている（例えば特許文献１参照）。
【先行技術文献】
【特許文献】
【０００５】
【特許文献１】特開２０１０−１１９６４７号公報
【発明の概要】
【発明が解決しようとする課題】
【０００６】
しかし、このような従来の構成では、前記脱水動作後の温風供給による洗濯物の加温動作においては、洗濯物に含まれる水分が少ない状態で加熱され、そこに汚れ成分が残存していた場合、汚れは水に分散されることなく洗濯物へ再付着されるため、これが洗濯物の黒ずみ発生を促進する課題があった。
【０００７】
本発明は、前記従来の課題を解決すると共に、洗浄性能が向上した洗濯機を提供することを目的とする。
【課題を解決するための手段】
【０００８】
前記従来の課題を解決するために、本発明の洗濯機は、洗濯物を収容する回転ドラムと、前記回転ドラムを収容する水受け槽と、前記水受け槽内に給水する給水手段と、前記回転ドラム内へ温風を導入する加熱手段を有する風路と、回転ドラムを駆動させる駆動手段と、前記給水手段、前記加熱手段および前記駆動手段を制御する制御手段とを備え、前記制御手段は、第１の洗い工程を行い、この第１の洗い工程完了後の排水と脱水を行って第２の洗い工程を行い、前記第１の洗い工程及び前記第２の洗い工程において、温風を前記回転ドラム内に導入するものである。
【０００９】
これにより、洗い工程における洗浄性能の向上と共に、汚れ再付着による黒ずみ発生防止を図ることができる。
【発明の効果】
【００１０】
本発明の洗濯機は、洗い工程における洗浄性能の向上と共に、汚れ再付着による黒ずみ発生防止を図ることができる。
【図面の簡単な説明】
【００１１】
【図１】本発明の実施の形態１における洗濯機の断面図
【図２】本発明の実施の形態１における洗濯機のブロック回路図
【図３】本発明の実施の形態１における洗濯機の洗い工程の動作を示すタイムチャート
【発明を実施するための形態】
【００１２】
第１の発明の洗濯機は、洗濯物を収容する回転ドラムと、前記回転ドラムを収容する水受け槽と、前記水受け槽内に給水する給水手段と、前記回転ドラム内へ温風を導入する加熱手段を有する風路と、回転ドラムを駆動させる駆動手段と、前記給水手段、前記加熱手段および前記駆動手段を制御する制御手段とを備え、前記制御手段は、第１の洗い工程を行い、この第１の洗い工程完了後の排水と脱水を行って第２の洗い工程を行い、前記第１の洗い工程及び前記第２の洗い工程において、温風を前記回転ドラム内に導入するものである。
【００１３】
これにより、第１の洗い工程では回転ドラム内への温風の導入により洗濯物の温度が上がるため、第１の洗い工程で洗濯物に付着し剥がれ難かった汚れが『熱・洗濯物に残存している洗剤・回転ドラムの撹拌の力』により洗濯物から剥がれ易くなる。更に、洗濯物は第１の洗い工程の完了後に排水と脱水が行われることにより、洗濯物に含まれる水量が低減され、その後の第２の洗い工程では回転ドラム内への温風の再導入により洗濯物は少ない熱量で温度が上がり易くなり、これにより洗濯物に付着し剥がれなかった汚れが前記『熱・洗濯物に残存している洗剤・回転ドラムの撹拌の力』により洗濯物から更に剥がれ易くなるため洗濯物に対する洗浄性能が向上することになる。
【００１４】
また、温風の導入による加熱は、第１の洗い工程から行われており、また水受け槽２はポリプロピレン樹脂より成っており断熱性が高いため、加熱された洗濯物の温度は比較的保持され易いため、第２の洗い工程開始後の洗濯物の温度は洗濯開始時よりも高くなっていることにより、第２の洗い工程での加熱では洗濯物の温度は更に高くなる。また、第１の洗い工程から加熱されているため、洗濯物の温度が高い状態が長く続くことにより、熱による洗濯物からの洗剤の温度による活性化も含め、汚れ除去の効果が長く続くことになる。
【００１５】
それに加え、前記制御手段は第１の洗い工程において所定時間経過後に前記温風の導入により洗濯物の加熱を行い、第１の洗い工程の完了後の排水・脱水により洗濯機・洗濯物に残っている洗濯水は洗濯機の外に排出される。特にこの加熱により洗濯開始前に洗濯物付着しており取れにくい汚れは洗濯物から剥がれ易くなり、前記排水・脱水により洗濯機や洗濯物から除去されるため、第２の洗い工程が開始される時の汚れは少なくなる。これにより、第２の洗い工程での加熱による汚れ成分の洗濯物からの剥がれに伴う汚れ成分の発生量は少なくなり、これよりこの汚れの再付着による黒ずみの発生が大幅に抑えられる効果が得られる。
【００１６】
第２の発明は、第１の洗い工程完了後の脱水における回転ドラムの最高回転数は、すす
ぎ工程での中間脱水または最終脱水の最高回転数よりも低いものである。これにより、第１の発明の効果に加え、第２の洗い工程において、洗濯物に残存する水量は、すすぎでの中間脱水・最終脱水完了後の洗濯物に残存する水量よりも多くなることにより、たたき洗いによる洗浄性能の向上が図れると共に、洗濯物から出る汚れの水への分散性の向上による再付着の抑制効果が向上し、黒ずみが発生しにくい効果が得られる。
【００１７】
第３の発明は、第１の洗い工程完了後の脱水における回転ドラムの最高回転数での回転時間は、すすぎ工程での中間脱水または最終脱水の最高回転数の回転時間よりも短いものである。これにより、第１の発明の効果に加え、第２の洗い工程において、最高回転数の回転時間が短いため、洗濯物に残存する水量は、すすぎでの中間脱水・最終脱水完了後の洗濯物に残存する水量よりも多くなることにより、たたき洗いによる洗浄性能の向上が図れると共に、洗濯物から出る汚れの水への分散性の向上による再付着の抑制効果が向上し、黒ずみが発生しにくい効果が得られる。
【００１８】
第４の発明は、第１の洗い工程完了後の脱水における回転ドラムの最高回転数は、すすぎ工程での中間脱水または最終脱水の最高回転数よりも低く、かつ前記第１の洗い工程完了後の脱水における回転ドラムの最高回転数での回転時間は、前記すすぎ工程での中間脱水または最終脱水の最高回転数の回転時間よりも短いものである。これより、第１の発明の効果に加え、第２の洗い工程において、最高回転数は低く、その回転時間は短いため、洗濯物に残存する水量は、すすぎでの中間脱水・最終脱水完了後の洗濯物に残存する水量よりも多くなることにより、たたき洗いによる洗浄性能の向上が図れると共に、洗濯物から出る汚れの水への分散性の向上による再付着の抑制効果が向上し、黒ずみが発生しにくい効果が得られる。
【００１９】
以下、本発明の実施の形態について、図面を参照しながら説明する。なお、この実施の形態によって本発明が限定されるものではない。
【００２０】
また、本発明で使用する洗濯水とは、洗い工程において用いられる、洗剤成分を含む水としての洗浄水と、すすぎ工程において用いられる、洗剤成分や汚れをすすぐ水としてのすすぎ水との、両方を包括するものである。また、循環シャワーとは、水循環手段の駆動により、循環経路から吐出される洗濯水を意味する。
【００２１】
（実施の形態１）
図１は、本発明の実施の形態１におけるドラム式洗濯機の断面図、図２は、本発明の実施の形態１におけるドラム式洗濯機のブロック回路図、図３は、本発明の実施の形態１におけるドラム式洗濯機の洗い工程の動作を示すタイムチャートである。
【００２２】
図１〜図３において、ドラム式洗濯機１の内部に水受け槽２が配設されている。水受け槽２の内側に洗濯槽としての回転ドラム３が水平な回転軸によって回転可能な状態で配設されている。回転ドラム３は、背面に接続されたモータ４により回転する。また、回転ドラム３は外周面に複数の通孔が設けられ、またその内壁面には数個の突起板が設けられている。回転ドラム３は、洗濯槽、脱水槽、乾燥槽としても機能するものである。
【００２３】
水受け槽２の後部側の最低部には、取水口５が接続されている。取水口５は、排水弁６によって開閉される排水管７につながっている。取水口５と排水弁６の間からは取水口５から取り込んだ洗濯水を回転ドラム３に吐出する吐出口８につながった循環経路９が連通している。循環ポンプ１０の駆動により、水受け槽２の洗濯水は循環経路９を通り、回転ドラム３に循環シャワーとして吐出される。このように、回転ドラム３内の洗濯物に循環水をかけることができる。水受け槽２の上方には、給水弁１１が設けられており、給水弁１１は水受け槽２内に水を給水する。水位検知手段１２は水受け槽２内の水位を検知する
ものである。
【００２４】
制御装置１３は、マイクロコンピュータで構成された制御手段１４を有し、パワースイッチング手段１５を介してモータ４、排水弁６、循環ポンプ１０、給水弁１１などの動作を制御し、洗い、すすぎ、脱水などの一連の工程を逐次制御する。入力設定手段１６は、運転コース等を設定するもので、制御手段１４は入力設定手段１６からの情報を入力して、その情報を基に表示手段１７を表示して使用者に知らせる。記憶手段１８は、制御手段１４により制御するのに必要なデータを記憶している。尚、１９は商用電源、２０は電源スイッチである。２１は、回転ドラム３の回転数を検知する回転数検知手段であり、この回転数検知手段２１の情報が制御手段１４に送られ、制御手段１４がパワースイッチング手段１５を介して回転ドラム３の回転数を制御する。
【００２５】
制御手段１４は、回転ドラム３の回転数を検知する回転数検知手段２１の情報から、パワースイッチング手段１５を介して回転ドラム３の回転数を制御する。風路２２には、洗濯物を加熱するヒータ２３（加熱手段）設けられており、風路２２は水受け槽２に設けられた通風口２４を通して、ヒータ２３によって加熱された風を回転ドラム３内に送風する構成となっている。また、ヒータ２３はモータ４等と同様に制御手段１４により制御される。
【００２６】
以下洗濯の工程について、図３を参照しながら説明する。
【００２７】
使用者がドラム式洗濯機１に洗濯物を投入し、電源スイッチ２０を押すと、入力設定手段１６が洗濯のコース等を入力できる様になる。入力設定手段１６からの情報により、制御手段１４は、表示手段１７を表示して使用者に知らせる。使用者が洗濯のスタートボタンを押して洗濯を開始すると、洗い工程の洗濯物重量検知工程を開始する。
【００２８】
洗濯物重量検知工程は、モータ４を制御して洗濯物とともに回転ドラム３を回転させる時のモータ４の電流信号の大きさを検出することによって行う。また、制御手段１４は、洗濯物量の判定結果により、洗剤量を決定し、表示手段１７を表示して使用者に知らせ、使用者が洗剤を投入する時間を考慮して、所定時間（例えば１分）経過した後に、制御手段１４は給水の準備に入る。
【００２９】
次に、制御手段１４は、第１の洗い工程を開始するために、給水弁１１を開放して給水を始める。この時、給水された水は、洗剤ケース（図示せず）を通り、洗剤ケースに投入された洗剤と一緒に水受け槽２に溜められていく。この時、回転ドラム３は一定方向に約５０ｒ／ｍｉｎで回転しており、循環ポンプ１０は駆動しており、水受け槽２の洗濯水は循環経路９を通り、回転ドラム３内に循環シャワーとして吐出される。
【００３０】
制御手段１４は、水位検知手段１２により所定水位に到達したと判断すると、給水弁１１を閉じることにより、水受け槽２への給水を停止させ、循環ポンプ１０を停止させる。その後、制御手段１４は、回転ドラム３に対し約３０秒毎に右回転・左回転を行うタンブリングを実施させ、更に循環ポンプ１０の運転を開始させると共に、水位検知手段１２の信号により、給水弁１１を開放して給水を再開し、所定水位まで給水を行い、完了させる。
【００３１】
回転ドラム３の前記タンブリングにおいては、回転ドラム３内の洗濯物は回転ドラム３内に設けた突起板（図示せず）に引っかかり、持ち上げられて落下することによりたたき洗いが行われる。このたたき洗いでは、洗濯物に落下時の運動エネルギーが効果的に加えられるように洗濯物は回転ドラム３の壁面に遠心力によって張り付かない程度の回転速度が好ましく、洗濯物の量にも依存するが５０ｒ／ｍｉｎ程度が好ましい。回転ドラム３の
回転方向は、同一方向でも、定期的に切り替えることとしてもよい。また、この時、回転ドラム３は一時的に停止していても差し支えない。
【００３２】
制御手段１４は、タンブリング開始から所定時間経過したことを確認すると、ヒータ２３への通電を行わせ、風路２２からは水受け槽２に設けられた通風口２４を通して、前記ヒータ２３で暖められた例えば約７０℃の風を回転ドラム３内に送風する。
【００３３】
洗い時間が所定時間経過し、第１の洗い工程が終了すると制御手段１４はヒータ２３を停止させると共に第２の洗い工程を開始するために排水弁６を開き、排水管７を通して水受け槽２内の洗濯水の排水を行う。
【００３４】
排水が完了すると、洗濯物に含有する水量を少なくした状態でヒータ２３による温風での次の加熱を行うため、洗濯物に含まれる水量の調整を開始する。この水量の調整は脱水を用いるため、制御手段１４は回転ドラム３のバランスコントロールを行い、回転ドラム３の回転数を上昇させる。
【００３５】
具体的には、洗濯物の含水量は洗濯物の乾燥重量の約２倍を想定しているため、例えば回転ドラム３の回転数を約２５０ｒ／ｍｉｎで所定時間保持した後、その回転を停止させることにより、洗濯物に残存する水量の調整を完了させる。
【００３６】
制御手段１４は、回転ドラム３の回転数を停止させた後、回転ドラム３に対し約５０ｒ／ｍｉｎで約３０秒毎に右回転・左回転を行うタンブリングを開始させると共に、ヒータ２３への通電を行わせ、風路２２からは水受け槽２に設けられた通風口２４を通して、前記ヒータ２３で暖められた例えば約７０℃の風を回転ドラム３内に送風する。この時、水受け槽２の水は少ないため循環ポンプ１０の運転は停止している。
【００３７】
前記回転ドラム３のタンブリングとヒータ２３にて暖められた空気の送風が所定時間完了すると、制御手段１４はヒータ２３への通電と送風とタンブリングを停止させ、第２の洗い工程が終了し、すすぎ工程１に入る。この第２の洗い工程が終了した段階で、洗濯物の温度は約４０℃まで上昇した状態であり、排水弁６は閉じられたままである。
【００３８】
すすぎ工程１で、初期の設定において、すすぎを２回以上実施すると設定されている場合は、１回目のすすぎにおける中間脱水１は実施しない構成になっている。このすすぎ工程１の動作について説明を行う。すすぎ工程１が開始されると、制御手段１４は、給水弁１１を開き給水を開始する。
【００３９】
この時、前記した様に排水弁６は閉じられたままの状態であり、給水された水は、洗剤ケース（図示せず）を通り、水受け槽２に溜められていく。回転ドラム３は約５０ｒ／ｍｉｎで一定方向回転しており、循環ポンプ１０は駆動しており、水受け槽２の洗濯水は循環経路９を通り、回転ドラム３内に循環シャワーとして吐出される。
【００４０】
制御手段１４は、水位検知手段１２により所定水位に到達したと判断すると、給水弁１１を閉じることにより、水受け槽２への給水を停止すると共に、循環ポンプ１０の運転も停止させる。給水を開始する前の洗濯物の温度は約４０℃であったが、中間脱水１を行わず給水のみを行っている。
【００４１】
この時所定水位までの給水量は中間脱水１を行っていないため少なくて済むため、洗濯物量が例えば４．５ｋｇの場合給水量は約１５Ｌとなり通常より５〜６Ｌ少なくなっている。また、この時に給水される水の温度が２０℃の場合洗濯物の温度は前記４０℃よりは低くなるが室温が２３℃では２７〜３０℃の温度に保持され、この状態ですすぎ工程１の
撹拌が行われる。
【００４２】
通常、中間脱水１が終了してからのすすぎ工程１の給水・撹拌時間は２〜３分程度であるが、洗濯にかかる時間を同じにした場合中間脱水に必要な時間は３〜４分であるため、この時間をすすぎ工程１における給水・撹拌時間に割り当てることができる。例えば、この中間脱水１の時間をすすぎ工程１の給水・撹拌時間に割り当てた場合、給水・撹拌を５〜７分実施できることになる。つまり、前記したように洗濯物の温度が２７〜３０℃で、循環ポンプ１０がＯＮ−ＯＦＦ運転した状態で給水撹拌を５〜７分行う。
【００４３】
この時、洗濯物の温度は通常のすすぎ温度よりも高く、洗濯物に残存している洗剤量も多く、撹拌時間も長くなっているため、このすすぎ工程１の給水・撹拌ではすすぎばかりではなく洗濯物の洗浄も実施される。つまり、洗濯物に残存している通常よりも洗剤が多く残存しており、これらの洗濯物は通常より高い水温でかつ長い時間撹拌されるため、前記洗い工程で除去できず洗濯物に付着している汚れ成分がこのすすぎ工程１時に洗濯物より剥ぎ取られることにより洗浄性能が大幅上昇する効果が得られることになる。
【００４４】
制御手段１４が所定時間経過したと判断すると、制御手段１４はすすぎ工程１が終了したと判断し、すすぎ工程２に移行するため、排水弁１１を開いて水受け槽２に溜まっているすすぎ水を排水する。排水が完了すると、すすぎ工程２の中間脱水２が開始されることになり、制御手段１４は回転ドラム３を回転させ、バランスコントロールを経て所定回転数である９００ｒ／ｍｉｎまで回転ドラム３の回転数をアップさせる。
【００４５】
この中間脱水２により、洗濯物に残存している洗濯水はドラム式洗濯機１の外に排出され、洗濯物に含まれる洗濯水は少なくなる。回転ドラム３が９００ｒ／ｍｉｎで所定時間回転すると、制御手段１４はモータ４に信号を送り、回転ドラム３の回転を停止させる。
【００４６】
回転ドラム３の停止後、制御手段１４は、給水弁１１を閉じて給水を開始する。この時、給水された水は、洗剤ケース（図示せず）を通り、水受け槽２に溜められていく。回転ドラム３は５０ｒ／ｍｉｎで一定方向での回転を開始し、循環ポンプ１０は駆動しており、水受け槽２の洗濯水は循環経路９を通り、回転ドラム３内に循環シャワーとして吐出される。
【００４７】
制御手段１４は、水位検知手段１２により所定水位に到達したと判断すると、給水弁１１を閉じることにより、水受け槽２への給水を停止する。制御手段１４は所定時間が経過したと判断すると、すすぎ工程２が終了したと判断し、制御手段１４は排水弁１１を開いて水受け槽２に溜まっているすすぎ水を排水する。
【００４８】
排水が完了すると、最終脱水が開始されることになり、制御手段１４は回転ドラム３を回転させ、バランスコントロールを経て回転ドラム３を最終回転数である９００ｒ／ｍｉｎまで回転数をアップさせる。この最終脱水により、洗濯物に残存している洗濯水はドラム式洗濯機１の外に排出され、洗濯物に含まれる洗濯水は少なくなる。回転ドラム３が９００ｒ／ｍｉｎで所定時間回転すると、制御手段１４はモータ４に信号を送り、回転ドラム３の回転を停止させる。回転ドラム３が停止した時点で、洗濯は終了し、制御手段１４はドラム式洗濯機１の電源を切る。
【００４９】
なお、第２の洗い工程において、中間脱水または最終脱水における最高回転数の回転時間を、第１の洗い工程完了後の脱水における回転ドラムの最高回転数での回転時間より短くすれば、洗濯物に残存する水量は、すすぎでの中間脱水・最終脱水完了後の洗濯物に残存する水量よりも多くなることにより、たたき洗いによる洗浄性能の向上が図れると共に、洗濯物から出る汚れの水への分散性の向上による再付着の抑制効果が向上し、黒ずみが
発生しにくい効果が得られる。
【００５０】
以上の様に、これにより、第１の洗い工程では回転ドラム内への温風の導入により洗濯物の温度が上がるため、第１の洗い工程で洗濯物に付着し剥がれ難かった汚れが『熱・洗濯物に残存している洗剤・回転ドラムの撹拌の力』により洗濯物から剥がれ易くなる。更に、洗濯物は第１の洗い工程の完了後に排水と脱水が行われることにより、洗濯物に含まれる水量が低減され、その後の第２の洗い工程では回転ドラム内への温風の再導入により洗濯物は少ない熱量で温度が上がり易くなり、これにより洗濯物に付着し剥がれなかった汚れが前記『熱・洗濯物に残存している洗剤・回転ドラムの撹拌の力』により洗濯物から更に剥がれ易くなるため洗濯物に対する洗浄性能が向上することになる。
【００５１】
また、温風の導入による加熱は、第１の洗い工程から行われており、また水受け槽２はポリプロピレン樹脂より成っており断熱性が高いため、加熱された洗濯物の温度は比較的保持され易いため、第２の洗い工程開始後の洗濯物の温度は洗濯開始時よりも高くなっていることにより、第２の洗い工程での加熱では洗濯物の温度は更に高くなる。また、第１の洗い工程から加熱されているため、洗濯物の温度が高い状態が長く続くことにより、温風・洗濯物からの熱による洗剤の活性化も含め、汚れ除去の効果が長く続くことになり、洗浄性能が更に向上することになる。
【００５２】
それに加え、制御手段１４は第１の洗い工程において所定時間経過後に前記温風の導入により洗濯物の加熱を行い、第１の洗い工程の完了後の排水・脱水により洗濯機１・洗濯物に残っている洗濯水は洗濯機１の外に排出される。特にこの加熱により洗濯開始前に洗濯物付着しており取れにくい汚れは洗濯物から剥がれ易くなり、前記排水・脱水によりドラム式洗濯機１や洗濯物から除去されるため、第２の洗い工程が開始される時の洗濯物の汚れは少なくなる。
【００５３】
これにより、第２の洗い工程での加熱による汚れ成分の洗濯物からの剥がれに伴う汚れ成分の再付着による黒ずみの発生が大幅に抑えられる効果が得られる。
【００５４】
尚、本実施の形態において、水受け槽２および回転ドラム３は水平に配置されたものとしたが、水受け槽２および回転ドラム３は傾斜していてもよい。また、第１の洗い工程・すすぎの給水量、洗い・脱水等の回転ドラム３の回転数等は特に指定するものではない。また、加熱手段は風量２２に設けられたヒータ２３に限定するものではなく、スチーム、ミスト発生装置等でも良い。
【産業上の利用可能性】
【００５５】
以上のように、本発明にかかる洗濯機は、洗浄力を向上させると共に、加熱による汚れ成分の洗濯物からの剥がれに伴う汚れ成分の再付着による黒ずみの発生が大幅に抑えられるので、ドラム式洗濯機や縦型洗濯機など種々洗濯機に有用である。
【符号の説明】
【００５６】
１  ドラム式洗濯機
２  水受け槽
３  回転ドラム
４  モータ（駆動手段）
５  取水口
６  排水弁
７  排水管
８  吐出口
９  循環経路
１１  給水弁（給水手段）
１４  制御手段
２３  加熱手段
【図１】
2014236770.tif 000003
【図２】
2014236770.tif 000004
【図３】
2014236770.tif 000005